(57)【要約】【課題】座り心地が比較的よく、便座に容易に固定することができる使い捨て便座カバーを提供する。【解決手段】便座２０よりも平面視上大形で、中央部が複数の片１Ｐに区分されるシート１を用い、前記複数の片それぞれに該片を前記シートの他の箇所に止着することができる止着部３を１つずつ固着させると共に、前記シートの縁部にギャザーを形成する伸縮性部材５を該シートの縁部に沿って固着して使い捨て便座カバー１０を得る。【選択図】　　　図４
2004097298.tif 000002
【特許請求の範囲】
【請求項１】
便座よりも平面視上大形で、中央部が複数の片に区分されるシートと、
前記複数の片それぞれに１つずつ固着され、該片を前記シートの他の箇所に止着することができる止着部と、
前記シートの縁部に沿って該シートの一面に固着されてギャザーを形成する伸縮性部材と、
を有する使い捨て便座カバー。
【請求項２】
前記シートの比容積が１５〜５０ｃｍ３／ｇの範囲内である請求項１に記載の使い捨て便座カバー。
【請求項３】
前記シートがエアレイド乾式パルプシート若しくは不織布、又は少なくとも一部に熱収縮性材料を含む不織布である請求項１又は２のいずれかに記載の使い捨て便座カバー。
【請求項４】
前記止着部がオス材として機能するフックを有し、前記シートと共に面状ファスナを構成する請求項１〜３のいずれかに記載の使い捨て便座カバー。
【発明の詳細な説明】
【０００１】
【発明の属する技術分野】
本発明は、洋式トイレに好適に用いられる使い捨て便座カバーに関する。
【０００２】
【従来の技術】
洋式トイレの便座（以下、単に「便座」という。）は、硬質プラスチックや金属等によって作製されるため、直に腰掛けると硬さや冷たさを感じる。このため多くの家庭では、便座にカバー（便座カバー）を掛けて、座り心地を改善している。この便座カバーは、一般に毛糸等を用いた編み物や織物によって作製され、また、汚れても洗濯して繰り返し使用される（以下において、このように洗濯などにより繰り返して使用される便座カバーを「繰り返し使用便座カバー」という。）。
【０００３】
一方、ホテル、デパート、オフィス等の公共施設に設置される洋式トイレでは、便座にカバーが掛けられないか、掛けられたとしても、繰り返し使用タイプのものではなく、一回ごとに使い捨てるタイプのものが利用されることが多い。
【０００４】
このような一回ごとに使い捨てるタイプの便座カバー（以下、「使用毎使い捨て便座カバー」という。）では、座り心地よりも衛生面や維持管理費用の削減が重要視され、一般に、使用後にトイレに流すことが可能な水解性の紙、あるいは水解性の紙と水解性のプラスチックとの複合材料によって作製される。使用毎使い捨て便座カバーは、常に新品を使用することを前提としたものであることから、トイレの利用者に清潔感を与えることができる。
【０００５】
このような使用毎使い捨て便座カバーは、便座上に単に置かれて使用されるか（特許文献１参照）、または、所定箇所を便座の内側の縁に沿って垂れ下げた状態、もしくは予め塗布された粘着剤によって便座に固定された状態（特許文献２〜特許文献４参照）で使用される。
【０００６】
【特許文献１】
特開２０００−２８７８８６号公報（例えば第００１７段）
【特許文献２】
特開２０００−３１６７５１号公報（図２）
【特許文献３】
実開平１−１５９７９５号公報（第２図）
【特許文献４】
特開平７−２３１８６２号公報（図１）
【０００７】
【発明が解決しようとする課題】
しかし、繰り返し使用便座カバーは座り心地に優れるが、特にＯ型便座用のものは、便座への固定が比較的複雑である。また、例えば尿や便によって生じたシミが洗濯によっては落としきれずに僅かに残ったからといって使い捨てるには高価である。さらに、繰り返し使用便座カバーに付いたシミは、トイレの利用者に不快感を与えることがある。
【０００８】
一方、使用毎使い捨て便座カバーは、腰掛けたときに使用者に硬い感触を与えてしまうという問題があった。また、寒冷期には、使用者が腰掛けたときに冷たい感触を与えてしまうという問題もあった。さらに、便座に固定されないタイプのものでは、注意して使用しないと、便座からずれたり、便座から落ちたりするという問題があった。
【０００９】
そこで、本発明は、便座に比較的容易に固定することができ、座り心地がよいものを安価に提供することも可能な使い捨て便座カバーを提供することを課題とする。
【００１０】
【課題を解決するための手段】
本発明者らは、中央部を複数の片に区分したシートに特定の構造を付与して使い捨て便座カバーを構成することによって、便座への固定に係る上記の課題を解決した。
【００１１】
本発明による使い捨て便座カバーは、シート材料の選択に工夫を凝らすことによって、座り心地がよいものを安価に提供することが可能である。
【００１２】
以下、本発明について説明する。なお、本発明の理解を容易にするために添付図面の参照符号を括弧書きにて付記するが、それによって本発明が図示の形態に限定されるものではない。
【００１３】
本発明の一態様では、便座（２０）よりも平面視上大形で、中央部が複数の片（１Ｐ）に区分されるシート（１）と、前記複数の片それぞれに１つずつ固着され、該片を前記シートの他の箇所に止着することができる止着部（３）と、前記シートの縁部に沿って該シートの一面に固着されてギャザー（Ｇ）を形成する伸縮性部材（５）と、を有する使い捨て便座カバーを提供して、前記課題を解決する。
【００１４】
便座カバーの平面視上の中央部には、尿や便が便器内に排出されるように開口部を形成することが必要であるので、上記の使い捨て便座カバーでは、シートの中央部が複数の片に区分される。
【００１５】
また、便座への固定を容易にするために、上記の片それぞれに止着部を固着させると共に、シートの縁部に沿って上記の伸縮性部材を固着させる。
【００１６】
各片に固着されている止着部をシートの他の箇所に止着することによって、シートの中央部に所定の開口部を形成することができる。当該開口部の形成は、上記の伸縮性部材によってシートを便座に仮固定した状態で行うことができるので、使い捨て便座カバーを便座に容易に固定することができる。簡単な構造であるので、初めて使う場合でも便座への固定方法の理解が容易である。
【００１７】
上述の止着部および伸縮性部材は、種々の素材のシートに固着させることが可能であるので、上記のシートとして例えばエアレイド乾式パルプシート若しくは不織布、又は少なくとも一部に熱収縮性材料を含む不織布を用いることにより、座り心地のよいものを安価に提供することが可能である。
【００１８】
このような効果を奏する上述の使い捨て便座カバーは、家庭用として例えば常時あるいは来客時に使用する他に、ホテル、デパート、オフィス、病院等の公共施設において使用することができる。特に、同一又は異なる使用者が１回〜複数回使用するための使い捨て便座カバーとして好適である。また、携帯することもできる。
【００１９】
本発明のこのような作用及び効果は、次に説明する実施の形態から明らかにされる。
【００２０】
【発明の実施の形態】
本発明の一態様による使い捨て便座カバーにおける上述のシートは、中央部が複数の片に区分され、縁部にギャザーを形成することが可能なものであれば基本的によいが、座り心地をよくするうえからは、良好な柔軟性を有していることが好ましい。また、シートの熱伝導率が低ければ、寒冷期においても腰掛けたときに冷たく感じることが少なくなるので、熱伝導率の低いものが好ましい。
【００２１】
便座は、一般に、ポリプロピレン、ＡＢＳ樹脂、ステンレス鋼、陶器等によって作製され、これらの素材の熱伝導率は、ポリプロピレンが０．１２５Ｗ／ｍ・Ｋ、ＡＢＳ樹脂が０．１４０Ｗ／ｍ・Ｋ、ステンレス鋼が１６〜２７Ｗ／ｍ・Ｋである。
【００２２】
これらの素材よりも熱伝導率の低い材料によって上記のシートを作製すれば、腰掛けたときに冷たく感じることが少ない便座カバーを得ることが容易になる。また、空気の熱伝導率が０．０２４Ｗ／ｍ・Ｋと低いことから、上記のシートが空気を多く含み、対流が少ない構造を有していれば、その材質に拘わらず、熱伝導性が低く、断熱性、保温性に優れた便座カバーを得ることが容易になる。
【００２３】
シートの含気率を示す指標として、重量当たりの容積（比容積）がある。比容積が大きいほど、熱伝導率が低いと考えられる。
【００２４】
シートの比容積（ｃｍ３／ｇ）は、その坪量（ｇ／ｍ２）と厚さ（ｍｍ）とを測定し、下式により算出することができる。
【００２５】
【数１】
2004097298.tif 000003
【００２６】
なお、本明細書中に記載する比容積の値は、全て、シートにかかる荷重が０．３ｋＰａであるときの当該シートの厚さを用いて求めた値である。
【００２７】
柔軟性、熱伝導率、および製造コストを勘案すると、上述したシートとしては、例えば下記（１）〜（５）の不織布又は乾式パルプシートを用いることが好ましく、中でも、その比容積が概ね１５〜５０ｃｍ３／ｇの範囲内であるもの、特に、概ね２５〜５０ｃｍ３／ｇの範囲内であるものが好ましい。
【００２８】
（１）（ｉ）熱処理によって螺旋状の自然捲縮が発現する第１の合成繊維（以下、「潜在螺旋状捲縮繊維」という。）のみによって、または、当該潜在螺旋状捲縮繊維と他の繊維との混綿によって形成された第１繊維層と、（ｉｉ）潜在螺旋状捲縮繊維の熱収縮温度以下の温度では実質的に熱収縮しない熱接着性繊維のみによって、または、当該熱接着性繊維と他の繊維との混綿によって形成された第２繊維層と、を局所的な熱接着によって一体化した後、熱処理によって潜在螺旋状捲縮繊維の各々に自然捲縮を発現させて得た不織布。
【００２９】
（２）（ｉ）熱収縮性フィルムまたは熱収縮性ネットと、（ｉｉ）当該熱収縮性フィルムまたは熱収縮性ネットの熱収縮温度以下の温度では実質的に熱収縮しない熱接着性繊維のみによって、または、当該熱接着性繊維と他の繊維との混綿によって形成された繊維層と、を局所的な熱接着によって一体化した後、熱処理によって熱収縮性フィルムまたは熱収縮性ネットを収縮させて得た不織布。
【００３０】
（３）熱接着性を有する潜在螺旋状捲縮繊維のみによって、または、当該潜在螺旋状捲縮繊維と他の繊維との混綿によって不織布を一旦形成し、その後、熱処理によって潜在螺旋状捲縮繊維の各々に自然捲縮を発現させて得た不織布。
【００３１】
（４）機械捲縮を付与した熱接着性繊維のみによって、または、当該熱接着性繊維と他の繊維との混綿によって作製された不織布。
【００３２】
（５）繊維長２〜１０ｍｍ程度の繊維を用いたエアレイド不織布又は、パルプを原料としたエアレイド乾式パルプシート。
【００３３】
上記の潜在螺旋状捲縮繊維は、例えば、複数種の熱可塑性ポリマー材料の組み合わせからなる偏心芯鞘型またはサイド・バイ・サイド型の複合繊維である。上記の熱可塑性ポリマー材料の具体例としては、例えば、ポリエチレンやポリプロピレン等のポリオレフィン、ポリエチレンテレフタレート等のポリエステル、ポリアミド等が挙げられる。
【００３４】
上記の熱接着性繊維は、例えば、上記の熱可塑性ポリマー材料の１種からなる繊維、または、上記の熱可塑性ポリマー材料の複数種からなる芯鞘型もしくはサイド・バイ・サイド型の複合繊維である。
【００３５】
上記の熱収縮性フィルムおよび熱収縮性ネットの素材は、例えば、天然ゴムや合成ゴムである。合成ゴムの具体例としては、イソプレンゴム、ブタジエンゴム、１，２−ポリブタジエン、スチレン−ブタジエンゴム、クロロプレンゴム、ニトリルゴム、ブチルゴム、エチレン−プロピレンゴム、ウレタンゴム、および熱可塑性エラストマーとして知られる各種ゴム、例えばウレタン系、スチレン系、エステル系、オレフィン系、アミド系のハードセグメントを有するゴムや、メタロセンを触媒として重合されたエチレン−α−オレフィン共重合体が挙げられる。
【００３６】
なお、熱収縮性フィルムおよび熱収縮性ネットの素材として例示したポリマー材料を用いて潜在螺旋状捲縮繊維を得ることも可能である。
【００３７】
上述した潜在螺旋状捲縮繊維または熱接着性繊維に必要に応じて混綿される繊維の具体例としては、例えば、レーヨン、コットン、アクリル系繊維等が挙げられる。
【００３８】
エアレイド乾式パルプシート又はエアレイド不織布の材料として利用することができる繊維の具体例としては、パルプ等の天然繊維、および、レーヨン、ポリエチレン等のポリオレフィン系繊維、ポリエチレンテレフタレート等のポリエステル系繊維、ポリアミド繊維等の合成繊維が挙げられ、その繊維長は例えば２〜１０ｍｍ程度とすることができる。非熱融着性繊維はバインダーを用いることによってシートにすることができ、熱融着性繊維はバインダーを用いることによって、または繊維同士を熱融着させることによってシートにすることができる。
【００３９】
エアレイド乾式パルプシートは、（ｉ）製造コストが比較的低い、（ｉｉ）水溶性のバインダーを併用することによって、使用後にそのままトイレに流せる使い捨て便座カバーを得ることが可能になる、という観点から特に好適である。
【００４０】
例えば、抗菌性物質を練り込んだ合成繊維を用いて上述のシートを作製することにより、あるいは、上述のシートに抗菌性物質の溶液ないし分散液を含浸させた後に乾燥することにより、抗菌性物質を含んだシートを得ることができる。
【００４１】
上記の抗菌性物質としては、無機系および有機系のいずれの物質も用いることができる。無機系抗菌性物質としてはゼオライト系、シリカゲル系、ガラス系、リン酸カルシウム系、リン酸ジルコニウム系、ケイ酸塩系、酸化チタン系、セラミック系、ウィスカー系等のものを用いることができる。有機系抗菌性物質としては、アルデヒド系、第４アンモニウム塩系等のものを用いることができる。
【００４２】
上述のシートは、後工程において、印刷により任意のデザインを付与することができる。また、着色された合成繊維を用いてシートを作製することによって、あるいは、シートの作製に使用するバインダー溶液に色素、顔料を添加することによって、着色されたシートを得ることができる。
【００４３】
シートの中央部に形成する複数の片の数は、２以上の所望数とすることができる。ただし、この数が多すぎると、使い捨て便座カバーを便座に固定するのに手間がかかるようになる。片の数は、３〜８つ程度とすることが好ましい。
【００４４】
これらの片は、例えば、シートの中央部に複数のスリットや切れ込みを設けることによって容易に形成することができる。
【００４５】
片に固着させる止着部は、当該片を上述のシートの他の箇所に止着し得るものであればよく、例えば、オス材として機能する微小なフックが片面に多数形成されたフック材を用いることができる。
【００４６】
このようなフック材を用いれば、当該フック材と上述のシートの他の箇所とによって面状ファスナを構成することが可能になる。片へのフック材の固着は、例えばホットメルト型接着剤を用いて、あるいはヒートシールによって、行うことができる。
【００４７】
また、互いに嵌合する１対の部材の一方を上記の止着部材として用い、他方をシートの他の箇所に固着させ、使い捨て便座カバーを便座に固定する際にこれら１対の部材を互いに嵌合させることによっても、上記の片を上述のシートの他の箇所に止着させることができる。
【００４８】
なお、止着部については、使い捨て便座カバーの使用時に使用者が自ら所定の箇所に固着するように構成することも可能である。例えば、両面テープの片面に止着部を固着させ、当該両面テープの他の面は着脱可能な保護フィルムによって覆っておき、使い捨て便座カバーの使用時に使用者が上記の保護フィルムを剥がして所定の箇所に止着部を固着するように構成することも可能である。
【００４９】
上述のシートの縁部に沿って当該シートの一面に固着させる伸縮性部材は、例えば天然ゴムまたは合成ゴムからなる糸ゴムもしくは平ゴムによって構成される。これらの糸ゴムおよび平ゴムは１本のみ使用してもよいし、複数本使用してもよい。複数本使用する場合には、各々を互いに独立に配置してもよいし、束ねて使用してもよい。
【００５０】
この伸縮性部材は、例えばホットメルト型等の接着剤を用いて、伸張させた状態でシートに固着される。その結果として、使い捨て便座カバーの非使用時においては、伸縮性部材の収縮によってシートの縁部にギャザーが形成される。
【００５１】
シート、止着部、および伸縮性部材が水解性を有していれば、使用後の使い捨て便座カバーを水洗トイレに流すことが可能になる。また、シート、止着部、および伸縮性部材が生分解性を有していれば、使い捨て便座カバーの廃棄によって周囲の環境に及ぼされる悪影響を緩和することが容易になる。
【００５２】
【実施例】
（実施例１）
図１（Ａ）は、本実施例による使い捨て便座カバーの上面図であり、図１（Ｂ）は、本実施例による使い捨て便座カバーの底面図である。
【００５３】
図示の使い捨て便座カバー１０は、シート１として前述した（１）の不織布を用い、止着部３として前述のフック材を用い、伸縮性部材５として環状の平ゴムを用いて作製したＯ型便座用のものである。伸縮性部材５は、便宜上、二点鎖線で表してある。
【００５４】
シート１は、図２（Ａ）〜図２（Ｃ）に示すように、潜在螺旋状捲縮繊維（大和紡績株式会社製のＣＰＰ（「ＣＰＰ」は大和紡績株式会社の登録商標。）；　繊度２．２ｄｔｅｘ、平均繊維長５１ｍｍ）１ａを原料として用いて作製した坪量３５ｇ／ｍ２のカードウェブ１Ａと、芯鞘型の熱接着性複合繊維（大和紡績株式会社製のＮＢＦ（ＳＨ）（「ＮＢＦ」は大和紡績株式会社の登録商標。）；芯成分＝ポリエチレンテレフタレート、鞘成分＝ポリエチレン；繊度２．２ｄｔｅｘ、平均繊維長５１ｍｍ）１ｂを原料として作製した坪量３０ｇ／ｍ２のカードウェブ１Ｂとを重ね合わせ（図２（Ａ）参照）、超音波エンボス法によって両者を互いに接合（図２（Ｂ）参照）した後、１３０〜１３５℃の熱風を５〜１０秒間吹き付けて潜在螺旋状捲縮繊維１ａに螺旋状の自然捲縮Ｃ（図２（Ｃ）参照）を発現させて得たものであり、その坪量は１００ｇ／ｍ２、厚さは４．０ｍｍ、比容積は４０ｃｍ３／ｇである。
【００５５】
このシート１におけるカードウェブ１Ａとカードウェブ１Ｂとの接合箇所は、平面視上、菱形格子状のパターンを形成している。図３に示すように、個々の菱形パターンＤＰ内においては、自然捲縮の発現に伴う潜在螺旋状捲縮繊維１ａの収縮によって、熱接着性複合繊維１ｂが凸状に突出している。使い捨て便座カバー１０は、熱接着性複合繊維１ｂが凸状に突出している側が表面（使用者が腰掛ける面）となるようにして使用される。
【００５６】
再び図１に戻り説明する。シート１は略円形を呈し、元々は便座よりも平面視上大形であるが、縁部に沿って伸縮性部材５が固着されていることから、当該縁部にギャザーＧが形成されてキャップ状になり、元々の大きさよりも小さくなっている。
【００５７】
このシート１の中央部には、複数のスリットが放射状に形成され、その結果として、当該中央部が８つの片１Ｐに区分されている。止着部３は、１つの片１Ｐに１つずつ固着されている。
【００５８】
図４（Ａ）〜図４（Ｃ）は、使い捨て便座カバー１０をＯ型便座２０に固定する際の手順の一例を示す。
【００５９】
まず、使い捨て便座カバー１０における伸縮性部材５を伸張させ、図４（Ａ）に示すように便座カバー１０を便座２０に被せる。便座２０に便座カバー１０が仮固定される。
【００６０】
次いで、図４（Ｂ）および図４（Ｃ）に示すように片１Ｐを便座２０の内側面から裏面へ廻し、止着部３によってシート１の他の箇所に止着させる。このとき、片１Ｐができるだけ弛まないようにして、止着部３をシート１の他の箇所に止着させることが好ましい。この動作を全ての片１Ｐについて行うことにより、使い捨て便座カバー１０を便座２０に固定することができる。
【００６１】
固定時とは逆の動作を行うことにより、使い捨て便座カバー１０を便座２０から取り外すことができる。
【００６２】
（実施例２）
シート１として、エアレイド乾式パルプシートを用いた以外は実施例１と同様にして、使い捨て便座カバーを作成した。
【００６３】
上記のエアレイド乾式パルプシートは、坪量が４０ｇ／ｍ２のパルプウェブを形成し、バインダーとしてスチレンブタジエンゴムのエマルジョンを塗布した後に乾燥機によって乾燥させて得た最終坪量５０ｇ／ｍ２のものであり、その厚さは１．３ｍｍ、比容積は２６ｃｍ３／ｇである。
【００６４】
（実施例３）
実施例１で用いたシート１に代えて、その中間製品、すなわち、カードウェブ１Ａとカードウェブ１Ｂとを重ね合わせ、超音波エンボス法によって両者を互いに部分的に接合させただけの不織布を用いた以外は実施例１と同様にして、使い捨て便座カバーを作製した。上記の中間製品（不織布）の坪量は６５ｇ／ｍ２、厚さは１．５ｍｍ、比容積は２３．１ｃｍ３／ｇである。
【００６５】
（実施例４）
実施例１で用いたシート１に代えて、湿式パルプシートを用いた以外は実施例１と同様にして、使い捨て便座カバーを作製した。
【００６６】
上記の湿式パルプシートは、パルプを湿式抄紙法によって坪量４０ｇ／ｍ２のシートに成形し、バインダーとしてスチレンブタジエンゴムのエマルジョンを塗布した後に乾燥機によって乾燥して得た最終坪量５０ｇ／ｍ２のものであり、その厚さは０．８ｍｍ、比容積は１６ｃｍ３／ｇである。
【００６７】
（評価）
実施例１〜実施例４の各使い捨て便座カバーを実際に家庭のトイレで使用し、その性能を評価した。
【００６８】
いずれの使い捨て便座カバーも、便座への取り付けおよび便座からの取り外しを比較的簡単に行うことができ、また、腰掛けても殆どズレない程度に便座に固定することができた。
【００６９】
実施例１および実施例２の各使い捨て便座カバーは、座ったときに柔らかく感じられ、座り心地がよかったが、実施例３および実施例４の各使い捨て便座カバーは、座り心地の点で、実施例１および実施例２の各使い捨て便座カバーよりも劣っていた。
【００７０】
また、実施例１および実施例２の各使い捨て便座カバーでは、冬季の夜中や明け方に腰掛けた場合でも、実施例３および実施例４の各使い捨て便座カバーに比べて便座からの冷え感が緩和されていた。座り続けた場合にも、臀部からの便座への熱の逃げはそれ程感じられず、比較的快適に座り続けることができた。
【００７１】
（実施例５）
図５（Ａ）は、本実施例による使い捨て便座カバーの上面図であり、図５（Ｂ）は、本実施例による使い捨て便座カバーの底面図である。
【００７２】
図示の使い捨て便座カバー３０はＵ型便座用のものであり、（ｉ）シート３１がＵ型便座に形成されている切り欠き部に対応する箇所に切り欠き部Ｄを有する点、および（ｉｉ）伸縮性部材３５が環状ではなく紐状を呈し、切り欠き部Ｄに面した縁部の一部を除いて、シートの縁部に沿って当該伸縮性部材３５が固着されている点を除けば、実施例１の使い捨て便座カバー１０と同様の材料によって同様に構成されている。図中の参照符号３１Ｐはシート３１中央部に形成されている片を示し、参照符号３３は止着部を示す。伸縮性部材３５は、便宜上、二点鎖線で表してある。
【００７３】
図６（Ａ）及び、図６（Ｂ）は、使い捨て便座カバー３０をＵ型便座４０に固定する際の手順の一例を示す。
【００７４】
まず、図６（Ａ）に示すように、使い捨て便座カバー３０における伸縮性部材５５を伸張させて、便座カバー３０の縁部が便座４０の側面または裏面に位置するようにして、当該便座カバー３０を便座４０に被せる。便座４０に便座カバー３０が仮固定される。
【００７５】
次いで、図６（Ｂ）に示すように、片３１Ｐを便座４０の内側面から裏面へ廻し、止着部３３によってシート３１の他の箇所に止着させる。このとき、片３１Ｐができるだけ弛まないようにして、止着部３３をシート３１の他の箇所に止着させることが好ましい。この動作を全ての片３１Ｐについて行うことにより、使い捨て便座カバー３０を便座４０に固定することができる。
【００７６】
固定時とは逆の動作を行うことにより、使い捨て便座カバー３０を便座４０から取り外すことができる。
【００７７】
この使い捨て便座カバー３０も、実施例１の使い捨て便座カバー１０と同様に、便座４０への取り付けおよび便座４０からの取り外しを比較的簡単に行うことができると共に、腰掛けても殆どズレない程度に便座に固定することができる。また、座り心地も比較的よい。
【００７８】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う使い捨て便座カバーもまた本発明の技術的範囲に包含されるものとして理解されなければならない。
【００７９】
【発明の効果】
以上説明したように、本発明によれば、便座に比較的容易に固定することができ、座り心地がよいものを安価に提供することも可能な使い捨て便座カバーが提供される。
【図面の簡単な説明】
【図１】図１（Ａ）は、本発明の使い捨て便座カバーの一実施例を概略的に示す上面図であり、図１（Ｂ）は、図１（Ａ）に示した使い捨て便座カバーを概略的に示す底面図である。
【図２】図１に示した使い捨て便座カバーを構成しているシートの製造工程を示す概略図である。
【図３】図１に示した使い捨て便座カバーを構成しているシートを概略的に示す斜視図である。
【図４】図１に示した使い捨て便座カバーをＯ型便座に固定する際の手順の一例を示す概略図である。
【図５】図５（Ａ）は、本発明の使い捨て便座カバーの他の実施例を概略的に示す上面図であり、図５（Ｂ）は、図５（Ａ）に示した使い捨て便座カバーを概略的に示す底面図である。
【図６】図５に示した使い捨て便座カバーをＵ型便座に固定する際の手順の一例を示す概略図である。
【符号の説明】
１、３１　シート
１Ｐ、３１Ｐ　片
３、３３　止着部
５、３５　伸縮性部材
Ｇ　ギャザー
２０　Ｏ型便座
４０　Ｕ型便座
【図１】
2004097298.tif 000004
【図２】
2004097298.tif 000005
【図３】
2004097298.tif 000006
【図４】
2004097298.tif 000007
【図５】
2004097298.tif 000008
【図６】
2004097298.tif 000009